(57)【要約】【課題】河川水の水質に変動が生じた場合に、除濁膜モジュールの閉塞を抑制する操作について、複数の河川水濾過装置を遠隔制御することにより、複数の河川水濾過装置を総合的に管理する。【解決手段】同一河川水源４から導入される河川水Ｗ１から処理水Ｗ２を製造する複数の河川水濾過装置２ａ〜２ｃと、取得された複数の河川水濾過装置２ａ〜２ｃに導入される河川水Ｗ１の全有機物炭素、クロロフィル、水温、全リン、全窒素、生物化学的酸素要求量、及びアデノシン三リン酸のいずれか１つ以上の水質項目に係る分析データを格納する分析データ格納部５２と、を備え、遠隔制御部５１は、複数の河川水濾過装置２ａ〜２ｃの差圧が増加した場合に、河川水Ｗ１の水質項目に係る分析データの近時情報に基づいて、複数の河川水濾過装置２ａ〜２ｃそれぞれに対し、除濁膜モジュール２２ａ〜２２ｃの閉塞を抑制する所要の操作を遠隔制御により実行する。【選択図】図１
2015233236.tif 000002
【特許請求の範囲】
【請求項１】
同一河川水源の地域内に設置され、前記同一河川水源から河川水を除濁膜モジュールに導入することで河川水に含まれる汚濁物質を除去して処理水を製造する複数の河川水濾過装置と、
前記複数の河川水濾過装置から地理的に離間した遠隔地に配置され、前記複数の河川水濾過装置と通信可能に接続され、遠隔地から通信により前記複数の河川水濾過装置を遠隔制御する遠隔制御部と、
取得された前記複数の河川水濾過装置に導入される河川水の全有機物炭素、クロロフィル、水温、全リン、全窒素、生物化学的酸素要求量、及びアデノシン三リン酸のいずれか１つ以上の水質項目に係る分析データを格納する分析データ格納部と、を備え、
前記遠隔制御部は、前記複数の河川水濾過装置の一次側と二次側との差圧が増加した場合に、前記分析データ格納部に格納された河川水の前記水質項目に係る前記分析データの近時情報に基づいて、前記複数の河川水濾過装置それぞれに対し、前記除濁膜モジュールの一次側を逆洗浄する逆洗浄モードの実施頻度を増加させる操作、前記除濁膜モジュールの一次側を順洗浄する順洗浄モードの実施頻度を増加させる操作、前記除濁膜モジュールへ導入される河川水に添加する殺菌剤の添加量を調整する操作、前記除濁膜モジュールへ導入される河川水に添加する凝集剤の添加量を調整する操作、前記除濁膜モジュールへ導入される河川水にバイオフィルム分散を促進する細胞間情報伝達物質を添加する操作、及び、前記除濁膜モジュールへ導入される河川水にバイオフィルム形成を阻害する細胞間情報伝達物質を添加する操作のいずれか１つを遠隔制御により実行する、
河川水濾過装置の遠隔管理制御システム。
【請求項２】
前記遠隔制御部は、前記逆洗浄モードの実施頻度を増加させる操作及び／又は前記順洗浄モードの実施頻度を増加させる操作を実行する場合において、前記逆洗浄モードの実施頻度を増加させる操作及び／又は前記順洗浄モードの実施頻度を増加させる操作を実行した後に、前記分析データ格納部に格納された河川水の前記水質項目に係る前記分析データが、前記複数の河川水濾過装置の前記差圧が増加する前の水準に復帰した場合に、前記複数の河川水濾過装置それぞれに対し、前記逆洗浄モードの実施頻度及び／又は前記順洗浄モードの実施頻度を、前記複数の河川水濾過装置の前記差圧が増加する前の頻度となるように遠隔制御により設定変更する、
請求項１に記載の河川水濾過装置の遠隔管理制御システム。
【請求項３】
前記遠隔制御部は、前記除濁膜モジュールへ導入される河川水に添加する凝集剤の添加量を調整する操作を実行する場合において、前記分析データ格納部に格納された河川水の全有機物炭素が増加し且つ前記複数の河川水濾過装置の前記差圧が増加した場合に、前記複数の河川水濾過装置それぞれに対し、予め設定された前記凝集剤の添加量を増加させるように遠隔制御により設定変更する、
請求項１に記載の河川水濾過装置の遠隔管理制御システム。
【発明の詳細な説明】
【技術分野】
【０００１】
本発明は、同一河川水源の地域内に設置される複数の河川水濾過装置を遠隔制御する河川水濾過装置の遠隔管理制御システムに関する。
【背景技術】
【０００２】
従来、複数の水処理装置と、複数の水処理装置と通信可能に接続されて複数の水処理装置を遠隔で監視制御する遠隔監視制御装置と、を備える遠隔監視制御システムが知られている（例えば、特許文献１参照）。特許文献１に記載の遠隔監視制御システムにおいては、複数の水処理装置から取得した監視情報の分析結果に基づいて、この監視情報の取得元の水処理装置と同じ水処理装置や、この監視情報の取得元の水処理装置と異なる水処理装置に対して、統括的な遠隔監視制御を行うことができるとされている。
特許文献１に記載の遠隔監視制御システムにおいては、複数の水処理装置は、工場から排出される廃水を濾過（処理）するものである。
【先行技術文献】
【特許文献】
【０００３】
【特許文献１】特許第５２５９４６７号公報
【発明の概要】
【発明が解決しようとする課題】
【０００４】
水処理装置が河川水濾過装置の場合には、河川水濾過装置は、河川水に含まれる汚濁物質（例えば、懸濁物質、藻類、微生物等）を除濁膜モジュールにより捕捉して処理水を製造する。このような河川水濾過装置は、処理水を製造するにつれて除濁膜の表面でケーキ層（汚濁物質の堆積層）が成長し、通水抵抗が増加する。そのため、除濁膜モジュールの閉塞を抑制して濾過性能を維持するため、除濁膜モジュールの一次側を逆洗浄する逆洗浄モードや、除濁膜モジュールの一次側を順洗浄（フラッシング）する順洗浄モードや、その他の洗浄モード（例えば、薬品洗浄）などの洗浄操作を定期的に実行する。これらの洗浄操作の頻度の増減は、所要の処理水の透過流束を確保する上で重要な管理項目の一つである。また、河川水濾過装置における除濁膜モジュールの閉塞の進行の度合は、濾過処理時の通水流量の設定範囲や、河川水濾過装置に導入される河川水の水質によっても異なる。
【０００５】
そのため、複数の河川水濾過装置を備える構成において、複数の河川水濾過装置に導入される河川水の水質に変動が生じた場合に、除濁膜モジュールの閉塞を抑制する操作が適時行われることが好ましい。そして、複数の河川水濾過装置において、除濁膜モジュールの閉塞を抑制する操作について、遠隔地から遠隔制御ができれば、複数の河川水濾過装置を総合的に管理することができるため、非常に有用である。
従って、複数の河川水濾過装置を備える構成において、河川水の水質に変動が生じた場合に、除濁膜モジュールの閉塞を抑制する操作について、複数の河川水濾過装置を遠隔制御して、河川水濾過装置を総合的に管理することが望まれる。
【０００６】
本発明は、河川水の水質に変動が生じた場合に、除濁膜モジュールの閉塞を抑制する操作について、複数の河川水濾過装置を遠隔制御することにより、複数の河川水濾過装置を総合的に管理することができる河川水濾過装置の遠隔管理制御システムを提供することを目的とする。
【課題を解決するための手段】
【０００７】
本発明は、同一河川水源の地域内に設置され、前記同一河川水源から河川水を除濁膜モジュールに導入することで河川水に含まれる汚濁物質を除去して処理水を製造する複数の河川水濾過装置と、前記複数の河川水濾過装置から地理的に離間した遠隔地に配置され、前記複数の河川水濾過装置と通信可能に接続され、遠隔地から通信により前記複数の河川水濾過装置を遠隔制御する遠隔制御部と、取得された前記複数の河川水濾過装置に導入される河川水の全有機物炭素、クロロフィル、水温、全リン、全窒素、生物化学的酸素要求量、及びアデノシン三リン酸のいずれか１つ以上の水質項目に係る分析データを格納する分析データ格納部と、を備え、前記遠隔制御部は、前記複数の河川水濾過装置の一次側と二次側との差圧が増加した場合に、前記分析データ格納部に格納された河川水の前記水質項目に係る前記分析データの近時情報に基づいて、前記複数の河川水濾過装置それぞれに対し、前記除濁膜モジュールの一次側を逆洗浄する逆洗浄モードの実施頻度を増加させる操作、前記除濁膜モジュールの一次側を順洗浄する順洗浄モードの実施頻度を増加させる操作、前記除濁膜モジュールへ導入される河川水に添加する殺菌剤の添加量を調整する操作、前記除濁膜モジュールへ導入される河川水に添加する凝集剤の添加量を調整する操作、前記除濁膜モジュールへ導入される河川水にバイオフィルム分散を促進する細胞間情報伝達物質を添加する操作、及び、前記除濁膜モジュールへ導入される河川水にバイオフィルム形成を阻害する細胞間情報伝達物質を添加する操作のいずれか１つを遠隔制御により実行する、河川水濾過装置の遠隔管理制御システムに関する。
【０００８】
また、前記遠隔制御部は、前記逆洗浄モードの実施頻度を増加させる操作及び／又は前記順洗浄モードの実施頻度を増加させる操作を実行する場合において、前記逆洗浄モードの実施頻度を増加させる操作及び／又は前記順洗浄モードの実施頻度を増加させる操作を実行した後に、前記分析データ格納部に格納された河川水の前記水質項目に係る前記分析データが、前記複数の河川水濾過装置の前記差圧が増加する前の水準に復帰した場合に、前記複数の河川水濾過装置それぞれに対し、前記逆洗浄モードの実施頻度及び／又は前記順洗浄モードの実施頻度を、前記複数の河川水濾過装置の前記差圧が増加する前の頻度となるように遠隔制御により設定変更する、ことが好ましい。
【０００９】
また、前記遠隔制御部は、前記除濁膜モジュールへ導入される河川水に添加する凝集剤の添加量を調整する操作を実行する場合において、前記分析データ格納部に格納された河川水の全有機物炭素が増加し且つ前記複数の河川水濾過装置の前記差圧が増加した場合に、前記複数の河川水濾過装置それぞれに対し、予め設定された前記凝集剤の添加量を増加させるように遠隔制御により設定変更する、ことが好ましい。
【発明の効果】
【００１０】
本発明によれば、河川水の水質に変動が生じた場合に、除濁膜モジュールの閉塞を抑制する操作について、複数の河川水濾過装置を遠隔制御することにより、複数の河川水濾過装置を総合的に管理することができる河川水濾過装置の遠隔管理制御システムを提供することができる。
【図面の簡単な説明】
【００１１】
【図１】本発明の一実施形態に係る河川水濾過装置の遠隔管理制御システム１の全体構成図である。
【図２】本実施形態の水質検出装置９の構成を示すブロック図である。
【図３】本実施形態の河川水濾過装置の遠隔管理制御システム１の制御に係る機能ブロック図である。
【図４】本実施形態の河川水濾過装置の遠隔管理制御システム１の第１動作例の処理手順を示すフローチャートである。
【図５】本実施形態の河川水濾過装置の遠隔管理制御システム１の第２動作例の処理手順を示すフローチャートである。
【図６】本実施形態の河川水濾過装置の遠隔管理制御システム１の第３動作例の処理手順を示すフローチャートである。
【図７】本実施形態の河川水濾過装置の遠隔管理制御システム１の第４動作例の処理手順を示すフローチャートである。
【図８】本実施形態の河川水濾過装置の遠隔管理制御システム１の第５動作例の処理手順を示すフローチャートである。
【図９】本実施形態の河川水濾過装置の遠隔管理制御システム１の第６動作例の処理手順を示すフローチャートである。
【発明を実施するための形態】
【００１２】
以下、本発明の河川水濾過装置の遠隔管理制御システム１の一実施形態について、図面を参照しながら説明する。図１は、本発明の河川水濾過装置の遠隔管理制御システム１の全体構成図である。図２は、本実施形態の水質検出装置９の構成を示すブロック図である。図３は、本実施形態の河川水濾過装置の遠隔管理制御システム１の制御に係る機能ブロック図である。
【００１３】
図１に示すように、本実施形態の河川水濾過装置の遠隔管理制御システム１は、ネットワーク３を介して、遠隔地から通信により複数の河川水濾過装置２ａ〜２ｃを遠隔制御する。ネットワーク３は、有線通信又は無線通信による広域の通信網である。
【００１４】
河川水濾過装置の遠隔管理制御システム１は、河川水源４と、複数の河川水濾過装置２ａ〜２ｃと、遠隔制御装置５と、複数の河川水ラインＬ１ａ〜Ｌ１ｃと、複数の処理水ラインＬ２ａ〜Ｌ２ｃと、複数の濃縮水導出ラインＬ３ａ〜Ｌ３ｃと、複数の濃縮水リターンラインＬ３１ａ〜Ｌ３１ｃと、複数の濃縮水排出ラインＬ３２ａ〜Ｌ３２ｃと、複数の比例制御弁１０ａ〜１０ｃと、複数の殺菌剤添加装置６ａ〜６ｃと、複数の凝集剤添加装置７ａ〜７ｃと、複数の細胞間情報伝達物質添加装置８ａ〜８ｃと、複数の水質検出装置９ａ〜９ｃと、を備える。「ライン」とは、流路、経路、管路等の流体の流通が可能なラインの総称である。
【００１５】
複数の河川水濾過装置２ａ〜２ｃは、同一の河川水源４の地域内に設置される。同一の河川水源４の地域内とは、同一の河川水源４からの河川水Ｗ１を供給可能な地域内をいう。同一の河川水源４の地域内に設置される複数の河川水濾過装置２ａ〜２ｃには、例えば、同一会社における地理的に離間した異なる事業所や離間した敷地内に設置される複数の河川水濾過装置や、地理的に離間した地域において複数のユーザに使用される複数の河川水濾過装置や、別会社における地理的に離間した地域に設置される複数の河川水濾過装置が含まれる。なお、複数の河川水濾過装置２ａ〜２ｃは、全てが離間して設置されていなくてもよく、一部又は全部が近くに設置されていてもよい。
【００１６】
河川水濾過装置２ａは、例えば、ユーザＸの使用する河川水濾過装置である。河川水濾過装置２ｂは、例えば、ユーザＹの使用する河川水濾過装置である。河川水濾過装置２ｃは、例えば、ユーザＺの使用する河川水濾過装置である。なお、複数の河川水濾過装置２ａ〜２ｃを使用するユーザは、これに限定されず、例えば、河川水濾過装置２ａ及び２ｂがユーザＸの使用する河川水濾過装置であってもよく、河川水濾過装置２ｃがユーザＹの使用する河川水濾過装置であってもよい。この場合において、例えば、ユーザＸの使用する河川水濾過装置２ａ及び２ｂが近接した位置に設置され、ユーザＹの使用する河川水濾過装置２ｃがユーザＸの使用する河川水濾過装置２ａ及び２ｂから地理的に離間した位置に設置されてもよい。
【００１７】
複数の河川水濾過装置２ａ〜２ｃは、それぞれ、加圧ポンプ２１ａ〜２１ｃと、除濁膜モジュール２２ａ〜２２ｃと、除濁制御部２３ａ〜２３ｃと、不図示のコントロールバルブ（流路切替弁）と、を備える。複数の河川水濾過装置２ａ〜２ｃそれぞれには、河川水ラインＬ１ａ〜Ｌ１ｃを介して、同一河川水源４（河川）から、河川水Ｗ１が供給される。一般的な河川水ラインＬ１ａ〜Ｌ１ｃは、地方自治体や地方公共団体等が敷設・管理する水道管網（例えば、工業用水道や上水道等）と、各ユーザが敷設・管理する給水管路とから構成されている。河川水ラインＬ１ａ〜Ｌ１ｃは、上流側において河川水源４に接続されており、下流側において複数の河川水濾過装置２ａ〜２ｃそれぞれに接続されている。複数の河川水濾過装置２ａ〜２ｃの詳細については後述する。
【００１８】
河川水ラインＬ１ａ〜Ｌ１ｃの途中には、上流側から下流側に向けて、水質検出装置９ａ〜９ｃ、殺菌剤添加装置６ａ〜６ｃ、凝集剤添加装置７ａ〜７ｃ、細胞間情報伝達物質添加装置８ａ〜８ｃが順に接続されている。殺菌剤添加装置６ａ〜６ｃそれぞれは、河川水ラインＬ１ａ〜Ｌ１ｃの途中の接続部Ｊ１ａ〜Ｊ１ｃに接続されている。凝集剤添加装置７ａ〜７ｃそれぞれは、河川水ラインＬ１ａ〜Ｌ１ｃの途中の接続部Ｊ２ａ〜Ｊ２ｃに接続されている。細胞間情報伝達物質添加装置８ａ〜８ｃそれぞれは、河川水ラインＬ１ａ〜Ｌ１ｃの途中の接続部Ｊ３ａ〜Ｊ３ｃに接続されている。水質検出装置９ａ〜９ｃそれぞれは、河川水ラインＬ１ａ〜Ｌ１ｃの途中の接続部Ｊ４ａ〜Ｊ４ｃに接続されている。
【００１９】
殺菌剤添加装置６ａ〜６ｃは、河川水濾過装置２ａ〜２ｃの除濁膜モジュール２２ａ〜２２ｃに供給される河川水Ｗ１に殺菌剤を添加する装置である。殺菌剤は、水中における微生物の繁殖を抑制するために用いられる薬品であり、スライムコントロール剤とも呼ばれる。殺菌剤としては、例えば、イソチアゾリン系化合物を用いることができ、具体的には、５−クロロ−２−メチル−４−イソチアゾリン−３−オンや、２−メチル−４−イソチアゾリン−３−オン等が挙げられる。殺菌剤添加装置６ａ〜６ｃは、ネットワーク３を介して、遠隔制御装置５に接続されており、遠隔制御部５１により遠隔制御される。
【００２０】
凝集剤添加装置７ａ〜７ｃは、河川水濾過装置２ａ〜２ｃの除濁膜モジュール２２ａ〜２２ｃに供給される河川水Ｗ１に凝集剤を添加する装置である。凝集剤は、水中における懸濁物質を凝集（フロック化）させて除去し易くするために用いられる薬品である。凝集剤としては、例えば、無機系凝集剤を用いることができ、具体的には、ポリ塩化アルミニウム（ＰＡＣ）や、硫酸アルミニウム（ＬＡＳ）等が挙げられる。凝集剤添加装置７ａ〜７ｃは、ネットワーク３を介して、遠隔制御装置５に接続されており、遠隔制御部５１により遠隔制御される。
【００２１】
細胞間情報伝達物質添加装置８ａ〜８ｃは、河川水濾過装置２ａ〜２ｃの除濁膜モジュール２２ａ〜２２ｃに供給される河川水Ｗ１に、バイオフィルム分散を促進する細胞間情報伝達物質又はバイオフィルム形成を阻害する細胞間情報伝達物質を添加する装置である。
【００２２】
バイオフィルム分散を促進する細胞間情報伝達物質は、バイオフィルム分散シグナル物質とも呼ばれる。バイオフィルム分散を促進する細胞間情報伝達物質を河川水Ｗ１に添加することで、バイオフィルムの内部に浸透して、フィルム内の細菌に、細菌を浮遊状態に誘導するシグナルを与えて、バイオフィルムを分散させることができる。バイオフィルムとは、河川水に含まれる有機物が沈着し、この有機物に細菌が付着してスライムが形成され、このスライムがコロニーを形成して膜面に形成されるものである。細胞間情報伝達物質（細胞間シグナル物質）とは、細胞間で情報を伝達する物質である。
【００２３】
バイオフィルム形成を阻害する細胞間情報伝達物質は、バイオフィルム形成シグナル物質と類似構造の阻害物質が該当し、例えば、ＡＨＬ（アシル化ホモセリンラクトン）を挙げることができる。バイオフィルム形成を阻害する細胞間情報伝達物質を河川水Ｗ１に添加することで、クオラムセンシングを抑制して、スライムの増殖を抑制することができる。クオラムセンシングは、細胞間情報伝達機構とも呼ばれ、菌体密度について細胞間情報伝達物質（細胞間シグナル物質）を用いて感知し、それに応じて物質の産生のコントロールを行う機構である。
【００２４】
水質検出装置９ａ〜９ｃは、河川水ラインＬ１ａ〜Ｌ１ｃを流通する河川水Ｗ１の水質項目を検出する。河川水Ｗ１の水質項目としては、全有機物炭素、クロロフィル、水温、全リン、全窒素、生物化学的酸素要求量、及びアデノシン三リン酸がある。水質検出装置９ａ〜９ｃは、ネットワーク３を介して、遠隔制御装置５に接続されている。
【００２５】
水質検出装置９ａ〜９ｃは、図２に示すように、全有機炭素センサ（以下「ＴＯＣセンサ」ともいう）９１と、クロロフィルセンサ９２と、温度センサ９３と、全リン濃度センサ９４と、全窒素濃度センサ９５と、生物化学的酸素要求量センサ（以下「ＢＯＤセンサ」ともいう）９６、アデノシン三リン酸センサ（以下「ＡＴＰセンサ」ともいう）９７とを有する。ＴＯＣセンサ９１、クロロフィルセンサ９２、温度センサ９３、全リン濃度センサ９４、全窒素濃度センサ９５、ＢＯＤセンサ９６、ＡＴＰセンサ９７それぞれにより検出される検出値は、ネットワーク３を介して、遠隔制御装置５に入力される。
【００２６】
ＴＯＣセンサ９１は、河川水ラインＬ１を流通する河川水Ｗ１の全有機炭素濃度（以下「ＴＯＣ濃度」ともいう）を分析又は検出するセンサである。ＴＯＣ濃度は、水中に存在する有機物中の全量を炭素量で示したものである。採水したサンプル水のＴＯＣ濃度及び河川水濾過装置２ａ〜２ｃにおいて検出されるＴＯＣ濃度は、ＴＯＣセンサ９１により分析又は検出される。ＴＯＣセンサ９１は、水中の有機物中の炭素量を検出する機器である。
【００２７】
クロロフィルセンサ９２は、河川水ラインＬ１を流通する河川水Ｗ１のクロロフィル濃度を分析又は検出するセンサである。クロロフィルは、葉緑素とも呼ばれ、クロロフィルａ，ｂ等に分類される。クロロフィルａは、全ての緑色植物中に存在する光合成色素であり、水中ではその濃度が植物プランクトンの量を示す。本実施形態においては、クロロフィル濃度は、藻類の量の指標として用いられる。クロロフィルセンサ９２としては、ＪＩＳ  Ｋ０４００−８０−１０「水質−生化学的パラメータの測定−クロロフィル濃度の吸光光度定量」において記載される吸光光度定量の方法を用いてクロロフィル濃度を検出するものを用いることができる。
【００２８】
温度センサ９３は、河川水ラインＬ１を流通する河川水Ｗ１の水温を分析又は検出するセンサである。河川水Ｗ１の水温は、藻類の量の増減を示す指標として用いられる。河川水Ｗ１の水温が上昇した場合には、藻類の量が増加しやすくなる。
【００２９】
全リン濃度センサ９４は、河川水ラインＬ１を流通する河川水Ｗ１の全リン濃度を分析又は検出するセンサである。全窒素濃度センサ９５は、河川水ラインＬ１を流通する河川水Ｗ１の全窒素濃度を分析又は検出するセンサである。河川水Ｗ１の全リン及び全窒素は、富栄養化を示す指標として用いられる。河川水に大量の栄養分（リン、窒素）が流入すると、富栄養の状態となり、植物プランクトンが大量に発生しやすくなる。
全リン濃度センサ９４としては、例えば、モリブデン青（アスコルビン酸還元）吸光光度法を用いて全リン濃度を検出するものを用いることができる。
全窒素濃度センサ９５としては、例えば、紫外吸光光度法、銅・カドミウムカラム還元法および硫酸ヒドラジニウム還元法を用いて全窒素濃度を検出するものを用いることができる。
【００３０】
ＢＯＤセンサ９６は、河川水ラインＬ１を流通する河川水Ｗ１の生物化学的酸素要求量（以下「ＢＯＤ」ともいう）を分析又は検出するセンサである。ＢＯＤは、微生物が水中の有機物を分解するときに消費するときの酸素消費量をいい、河川の有機物汚濁を示す指標として用いられる。一般的に、ＢＯＤの数値が大きい場合は、微生物が酸素をたくさん消費して有機物を分解している状態、即ち、水中に存在する有機物の量が多く、有機物による水質汚濁の程度が大きい。一方、河川水がきれいな場合は、微生物が消費する酸素量が少ない状態、即ち、水中に存在する有機物の量が少ないため、ＢＯＤの値は小さい。ＢＯＤセンサ９６としては、河川水を常温（２０℃）で５日間静置して、その間の微生物による酸素消費量を測定するものを用いることができる。
【００３１】
ＡＴＰセンサ９７は、河川水ラインＬ１を流通する河川水Ｗ１のアデノシン三リン酸（以下「ＡＴＰ」ともいう）を分析又は検出するセンサである。ＡＴＰは、全ての生物の細胞内や食品等に含まれるエネルギー伝達物質（ヌクレオチド）であり、微生物の活性度合の指標として用いられる。ＡＴＰセンサ９７としては、例えば、ＡＴＰを発光素（例えば、ルシフェリン）及び酵素（例えば、ルシフェラーゼ）などと組み合わせて発光させ、その発光量（例えば、蛍光強度）を測定して、ＡＴＰ濃度を検出するものを用いることができる。
【００３２】
複数の河川水濾過装置２ａ〜２ｃそれぞれは、同一河川水源４から河川水Ｗ１を除濁膜モジュール２２ａ〜２２ｃに導入することで、河川水Ｗ１に含まれる汚濁物質を除去して、処理水Ｗ２ａ〜Ｗ２ｃを製造する。複数の河川水濾過装置２ａ〜２ｃそれぞれは、製造された処理水Ｗ２ａ〜Ｗ２ｃを、処理水ラインＬ２ａ〜Ｌ２ｃを介して、需要箇所へ供給する。処理水ラインＬ２ａ〜Ｌ２ｃは、上流側において複数の河川水濾過装置２ａ〜２ｃそれぞれに接続されており、下流側において需要箇所に接続されている。汚濁物質としては、藻類や、スライム（細菌等の微生物の菌体と、それらの菌体が分泌した粘着物と、この粘着物に取り込まれた土砂等の無機物質とを含む粘着性の軟泥状物質）等が挙げられる。
【００３３】
なお、以下の説明において、複数又は単数を区別する必要がない場合には、複数の河川水濾過装置２ａ〜２ｃ、複数の加圧ポンプ２１ａ〜２１ｃ、複数の除濁膜モジュール２２ａ〜２２ｃ、複数の除濁制御部２３ａ〜２３ｃ、複数の除濁記憶部２４ａ〜２４ｃ、処理水Ｗ２ａ〜２ｃ、洗浄排水Ｗ３ａ〜Ｗ３ｃ、殺菌剤添加装置６ａ〜６ｃ、凝集剤添加装置７ａ〜７ｃ、細胞間情報伝達物質添加装置８ａ〜８ｃ、水質検出装置９ａ〜９ｃの識別記号である「ａ」、「ｂ」、「ｃ」については省略して、単に「河川水濾過装置２」、「加圧ポンプ２１」、「除濁膜モジュール２２」、「除濁制御部２３」、「処理水Ｗ２」、「洗浄排水Ｗ３」、「殺菌剤添加装置６」、「凝集剤添加装置７」、「細胞間情報伝達物質添加装置８」、「水質検出装置９」と記載する。
【００３４】
河川水濾過装置２ａ〜２ｃは、前述の通り、それぞれ、上流側に設けられる加圧ポンプ２１ａ〜２１ｃと、下流側に設けられる除濁膜モジュール２２ａ〜２２ｃとにより構成される。
【００３５】
除濁膜モジュール２２は、加圧ポンプ２１により圧送された河川水Ｗ１から、汚濁物質が除去された処理水Ｗ２を製造する。除濁膜モジュール２２は、例えば、ポリフッ化ビニリデン（ＰＶＤＦ）製の中空糸膜の束をベッセル内に収容し、ベッセル両端部においてベッセル内周面と中空糸膜外周面との間に封止剤を充填して形成される。除濁膜モジュール２２は、外圧式又は内圧式のいずれでも使用できるが、中空糸内部が閉塞しにくい外圧式が好ましい。また、濾過方式としては、全量濾過方式又はクロスフロー濾過方式のいずれでもよい。一般に、全量濾過方式は、濾過操作時のエネルギー消費量が少ないが、ケーキ層の成長が速いため、逆洗浄の実行実施や順洗浄（フラッシング）の実施間隔を短くする必要がある。これに対し、クロスフロー濾過方式は、濾過操作時の水循環のためにエネルギー消費量が多いが、ケーキ層の成長が緩やかなため、逆洗浄の実施間隔や順洗浄の実施間隔を延ばすことができる。
【００３６】
除濁膜モジュール２２に組み込まれる中空糸膜には、逆浸透膜（「ＲＯ膜」ともいう）よりも細孔が粗い膜が用いられる。除濁膜モジュールとして、限外濾過膜を有するＵＦ膜モジュールや、精密濾過膜を有するＭＦ膜モジュール等を適用することができる。前者としては、東レ社製のＨＦＵシリーズ、後者としては、東レ社製のＨＦＳシリーズ等の市販品を好適に用いることができる。なお、本実施形態においては、除濁膜モジュール２２を全量濾過方式の外圧式ＵＦ膜モジュールとして、以降の装置構成や動作等を説明する。
【００３７】
加圧ポンプ２１は、河川水源４から供給される河川水Ｗ１を加圧し、除濁膜モジュール２２に送出する。ここで、除濁膜モジュール２２からの処理水Ｗ２の流量を検出する流量センサ（図示せず）と、加圧ポンプ２１の回転数を駆動周波数に応じて可変させるインバータ（図示せず）と、流量センサからの流量検知信号に基づいて、インバータへ指令信号を出力する流量制御部２３２（図３参照、後述）とを備えることが好ましい。この構成によれば、流量センサにより検出される処理水Ｗ２の流量に基づくフィードバック制御により、処理水Ｗ２の流量を一定に維持するように制御を行うことができる。
【００３８】
これにより、膜表面でのケーキ層の成長と共に、膜間の通水抵抗が増加しても、加圧ポンプ２１の回転数が流量制御部２３２により自動的に調整されて、処理水Ｗ２の流量を一定に制御することができる。
【００３９】
この河川水濾過装置の遠隔管理制御システム１によれば、同一河川水源４から供給された河川水Ｗ１は、河川水ラインＬ１を介して河川水濾過装置２に送出される。河川水濾過装置２に流入した河川水Ｗ１は、河川水濾過装置２により最終的に浄化された処理水Ｗ２となる。処理水Ｗ２は、処理水ラインＬ２を介して需要箇所へ供給される。濾過操作の継続により膜表面で成長したケーキ層（汚濁物質の堆積層）は、逆洗浄モードの実施、或いは順洗浄モードの実施により剥離され、洗浄排水Ｗ３と共に排水ラインＬ３を介して系外に排出される。
【００４０】
河川水濾過装置２の周辺には、処理水Ｗ２が流通可能な処理水ラインＬ２と、洗浄排水Ｗ３を系外へ排出する排水ラインＬ３と、逆洗水Ｗ４（処理水Ｗ２）を除濁膜モジュール２２に供給する逆洗水ラインＬ４と、が設けられている。
【００４１】
処理水ラインＬ２は、ＵＦ膜を透過した処理水Ｗ２を装置外へ導出するラインである。処理水ラインＬ２は、除濁膜モジュール２２に接続され、除濁膜モジュール２２により製造された処理水Ｗ２を需要箇所へ供給（導出）する。なお、処理水Ｗ２の一部は、逆洗水タンク（不図示）に貯留されるようになっており、この貯留された処理水Ｗ２が逆洗水Ｗ４（後述）として利用される。
【００４２】
逆洗水ラインＬ４は、逆洗浄モードにおいて、逆洗水Ｗ４としての処理水Ｗ２を除濁膜モジュール２２の二次側へ供給するラインである。逆洗水ラインＬ４の下流側の端部は、接続部Ｊ５において処理水ラインＬ２に接続されている。なお、逆洗水ラインＬ４には、逆洗水タンク（不図示）から逆洗水Ｗ４（処理水Ｗ２）を圧送するための逆洗用ポンプ２０が設けられている。
【００４３】
排水ラインＬ３は、逆洗浄モード及び順洗浄モードで発生した洗浄排水Ｗ３が流通するラインである。排水ラインＬ３は、除濁膜モジュール２２の一次側に接続され、懸濁物質を含む洗浄排水Ｗ３を系外に排出する。排水ラインＬ３の途中には、排水バルブ１０が設けられている。排水バルブ１０は、例えば電動弁からなり、遠隔制御部５１の制御により、排水ラインＬ３を開閉するように構成されている。
【００４４】
複数の河川水濾過装置２ａ〜２ｃは、それぞれ、コントロールバルブ（不図示）を切り替えることで、同一河川水源４から河川水Ｗ１を除濁膜モジュール２２ａ〜２２ｃに導入することで河川水Ｗ１に含まれる汚濁物質を除去して処理水Ｗ２ａ〜Ｗ２ｃを製造する水処理プロセスと、内部の除濁膜モジュール２２ａ〜２２ｃの一次側を洗浄する洗浄プロセス（逆洗浄モード及び／又は順洗浄モード）と、を実行可能である。
【００４５】
洗浄プロセスの逆洗浄モードにおいては、逆洗水Ｗ４（処理水Ｗ２）が除濁膜モジュール２２に組み込まれた中空糸膜の内側から外側に向かって通過するように流される。具体的には、河川水ラインＬ１及び接続部Ｊ５の下流側の処理水ラインＬ２に設けられた所定のバルブ機構が閉鎖されると共に、排水バルブ１０が開放され、逆洗用ポンプ２０が逆洗水Ｗ４（処理水Ｗ２）を圧送するように操作される。これにより、中空糸膜の外側表面で成長したケーキ層が剥離される。洗浄後の洗浄排水Ｗ３は、排水ラインＬ３を介して、系外に排出される。中空糸膜の逆洗浄の後は、除濁膜モジュール２２の一次側内に残留する洗浄排水Ｗ３が放水され、河川水Ｗ１が導入される。逆洗浄モードは、河川水Ｗ１の水質に応じて、例えば、３０分から１時間に１回の頻度で実行される。
【００４６】
洗浄プロセスの順洗浄モードにおいては、河川水Ｗ１が除濁膜モジュール２２に組み込まれた中空糸膜の外側表面を高流速で流通するように流される。具体的には、逆洗水ラインＬ４及び接続部Ｊ５の下流側の処理水ラインＬ２に設けられた所定のバルブ機構が閉鎖されると共に、排水バルブ１０が開放され、加圧ポンプ２１が河川水Ｗ１を水処理プロセスよりも高い流量で圧送するように操作される。これにより、中空糸膜の外側表面で成長したケーキ層が洗い流される。洗浄後の洗浄排水Ｗ３は、排水ラインＬ３を介して、系外に排出される。順洗浄モードは、河川水Ｗ１の水質に応じて、例えば、５分から１０分に１回の頻度で実行される。
【００４７】
なお、複数の河川水濾過装置２ａ〜２ｃにおいて、逆洗浄モード及び順洗浄モードの実行は、いずれか一方のみが実行されるように設定されていてもよいし、両方が実行されるように設定されていてもよい。逆洗浄モード及び順洗浄モードの両方を実行する場合には、順洗浄モードの実行が所定回数（例えば、２〜５回）に達するごとに、逆洗浄モードを１回実行させるように操作する。
【００４８】
除濁制御部２３は、図３に示すように、プロセス実行部２３１と、流量制御部２３２と、を有する。
プロセス実行部２３１は、河川水濾過装置２に設けられる不図示のコントロールバルブの開閉を制御することにより、水処理プロセス並びに洗浄プロセス（逆洗浄モード及び／又は順洗浄モード）を実行する。
【００４９】
プロセス実行部２３１は、洗浄プロセスの実施タイミング制御に関し、流量洗浄、時間洗浄又は周期洗浄を実行可能である。プロセス実行部２３１の洗浄プロセスにおいて実行される流量洗浄は、河川水濾過装置２に流入する河川水Ｗ１の積算通水流量が予め設定された上限通水量に達した場合に、実行される。プロセス実行部２３１の洗浄プロセスにおいて実行される時間洗浄は、河川水濾過装置２に流入する河川水Ｗ１の積算通水時間が予め設定された上限通水時間に達した場合に、実行される。プロセス実行部２３１の洗浄プロセスにおいて実行される周期洗浄は、不図示のタイマー部により計時された経過日数が予め設定された周期日数になった場合に、実行される。
洗浄プロセスの実施頻度（すなわち、流量洗浄における上限通水量、時間洗浄における上限通水時間及び周期洗浄における周期日数）は、予め設定されており、河川水Ｗ１の水質や河川水濾過装置２の一次側と二次側との差圧に応じて、後述する遠隔制御装置５の遠隔制御部５１により設定変更される。
【００５０】
流量制御部２３２は、加圧ポンプ２１の駆動周波数を演算し、当該駆動周波数の演算値に対応する周波数指定信号（電流値信号又は電圧値信号）をインバータ（不図示）に出力する。
【００５１】
遠隔制御装置５は、複数の河川水濾過装置２ａ〜２ｃを遠隔制御する。遠隔制御装置５は、遠隔制御部５１と、分析データ格納部５２と、を有する。
分析データ格納部５２は、取得された複数の河川水濾過装置２ａ〜２ｃに導入される河川水Ｗ１の全有機物炭素、クロロフィル、水温、全リン、全窒素、生物化学的酸素要求量、及びアデノシン三リン酸のいずれか１つ以上の水質項目に係る分析データを格納する。例えば、取得された分析データとしては、河川水濾過装置２に導入される河川水Ｗ１をサンプル水として採水し、その採水したサンプル水を分析センター（不図示）で分析した分析データや、河川水濾過装置２に導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目を前述の水質検出装置９ａ〜９ｃにより現場測定した分析データなどがある。
【００５２】
分析センターは、サンプル水の手動分析を採水現場以外で行うものであり、送付されたサンプル水を所要の分析機器を使用して分析する施設である。サンプル水の採水と送付は、例えば、各ユーザＸ〜Ｚと河川水濾過装置２のメンテナンス契約を締結している管理会社のサービスエンジニアが定期的に客先を訪問して行う。分析センターで得られた分析データは、分析センターに備え付けの専用端末を介して遠隔制御装置５に送信され、分析データ格納部５２に記録される。
一方、水質検出装置９ａ〜９ｃは、サンプル水の自動分析を採水現場で行うものであり、複数の河川水濾過装置２ａ〜２ｃの据付現場、具体的には河川水ラインＬ１ａ〜Ｌ１ｃに設けられる機器である。水質検出装置９ａ〜９ｃで測定された分析データは、複数の河川水濾過装置２ａ〜２ｃに入力され、複数の河川水濾過装置２ａ〜２ｃからネットワーク３を介して遠隔制御装置５に送信され、分析データ格納部５２に記録される。
【００５３】
遠隔制御部５１は、遠隔地から通信により複数の河川水濾過装置２ａ〜２ｃを遠隔制御する。遠隔制御部５１は、複数の河川水濾過装置２の一次側と二次側との差圧が増加した場合に、分析データ格納部５２に格納された河川水Ｗ１の水質項目に係る分析データの近時情報に基づいて、複数の河川水濾過装置２それぞれに対し、除濁膜モジュール２２の閉塞を抑制するように、遠隔制御を行う。
【００５４】
河川水濾過装置２の一次側と二次側との差圧は、除濁膜モジュール２２の一次側と二次側の差圧を差圧計（図示せず）で計測すること等により求められる。差圧計により計測される差圧が増加した場合には、除濁膜モジュール２２の閉塞の進行が予測される。河川水濾過装置２の差圧のデータは、複数の河川水濾過装置２ａ〜２ｃそれぞれの不図示のマイコンのメモリや、遠隔制御装置５の不図示のデータベースなどに記憶されている。
【００５５】
分析データの近時情報とは、最新データだけに限定されず、ある程度日付の古いデータ（例えば、直近Ｎ個分のデータ）も含む概念である。分析データの近時情報は、例えばサンプル水の分析センター（不図示）への送付に日数を要する場合もあることから、後述する分析データ格納部５２に格納された順序ではなく、サンプル水の採水日の順序に基づいて判断される。なお、サンプル水の分析データと、河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目の検出値の分析データとが混在して分析データ格納部５２に格納されている場合においても、河川水Ｗ１の検出日及びサンプル水の採水日の順序に基づいて判断される。
【００５６】
例えば、サンプル水の採水日と格納日との順序が異なる場合において、直近の２個分の分析データの平均値を近時情報として利用する場合について説明する。ここで、前回の除濁膜モジュール２２の閉塞を抑制する操作（逆洗浄モードの実施頻度を増加する操作、順洗浄モードの実施頻度を増加する操作、殺菌剤の添加量を調整する操作、凝集剤の添加量を調整する操作、細胞間情報伝達物質を添加する操作）の設定時には、河川水のＴＯＣが、４ｇＣ／ｍ３であったとする。
【００５７】
下記の２月８日時点において格納されている分析データのように、例えば２月８日の時点では、分析データ格納部５２に格納された分析データの格納日の順序は、日付が新しい順に、分析データＮ１、分析データＮ３である。採水日の順序は、日付が新しい順に、分析データＮ３、分析データＮ１である。
【００５８】
◎２月８日時点において格納されている分析データ
Ｎ１：採水日（１月５日）、ＴＯＣ４ｇＣ／ｍ３、格納日（１月１０日）
Ｎ３：採水日（２月２日）、ＴＯＣ６ｇＣ／ｍ３、格納日（２月７日）
【００５９】
２月１０日には、下記の２月１０日時点において格納されている分析データのように、分析データ格納部５２には、新たに２月１０日に分析データＮ２が格納された。これにより、分析データ格納部５２に格納された分析データの格納日の順序は、日付が新しい順に、分析データＮ２、分析データＮ３、分析データＮ１である。採水日の順序は、格納日の順序とは異なっており、日付が新しい順に、分析データＮ３、分析データＮ２、分析データＮ１である。
【００６０】
◎２月１０日時点において格納されている分析データ
Ｎ１：採水日（１月５日）、ＴＯＣ４ｇＣ／ｍ３、格納日（１月１０日）
Ｎ２：採水日（１月２０日）、ＴＯＣ６ｇＣ／ｍ３、格納日（２月１０日）
Ｎ３：採水日（２月２日）、ＴＯＣ３ｇＣ／ｍ３、格納日（２月７日）
【００６１】
ここで、例えば２月８日の時点では、直近の２個の分析データＮ１及び分析データＮ３の平均値（〔（４＋３）／２＝３．５〕）が近時情報となる。２月８日の時点では、分析データＮ１及びＮ３の平均値は、前回の除濁膜モジュール２２の閉塞を抑制する操作の設定時のＴＯＣ４ｇＣ／ｍ３から増加している。
一方、例えば２月１０日の時点では、直近の２個の分析データＮ２及び分析データＮ３の平均値（〔（６＋３）／２＝４．５〕）が近時情報となる。２月１０日の時点では、分析データＮ２及びＮ３の平均値は、前回の除濁膜モジュール２２の閉塞を抑制する操作の設定時のＴＯＣ４ｇＣ／ｍ３から減少している
このように、近時情報を判断するタイミングによって、サンプル水の採水日と格納日との順序が異なる場合があるが、サンプル水の採水日の順序に基づいて、サンプル水の分析データの近時情報とする。
【００６２】
また、分析データの近時情報は、例えば、分析データ格納部５２に格納されたクロロフィル、水温、全リン、全窒素、生物化学的酸素要求量、及びアデノシン三リン酸のいずれか１つ以上について、サンプル水の採水日と格納日との順序が異なる場合においても、前述の河川水Ｗ１のＴＯＣと同様に、最新データだけに限定されず、ある程度日付の古いデータ（例えば、直近Ｎ個分のデータ）も含む。
分析データ格納部５２に格納された河川水Ｗ１のクロロフィル、水温、全リン、全窒素、生物化学的酸素要求量（ＢＯＤ）、及びアデノシン三リン酸（ＡＴＰ）それぞれにおける分析データの近時情報の説明は、前述の河川水Ｗ１のＴＯＣの説明とクロロフィル、水温、全リン、全窒素、生物化学的酸素要求量（ＢＯＤ）、及びアデノシン三リン酸（ＡＴＰ）それぞれの具体的な数値が異なるのみでその他の内容は同様であるため、前述の河川水Ｗ１のＴＯＣの説明を援用して、その説明を省略する。
【００６３】
遠隔制御部５１は、河川水Ｗ１の水質項目に係る検出値の上昇や河川水濾過装置２の一次側と二次側との差圧の増加に応じて、複数の河川水濾過装置２ａ〜２ｃそれぞれに対し、除濁膜モジュール２２の閉塞（詰まり）を抑制する以下の操作のいずれか１つを、選択的に、遠隔制御により実行する。除濁膜モジュール２２の閉塞を抑制する操作には、除濁膜モジュール２２の一次側を逆洗浄する逆洗浄モードの実施頻度を増加させる操作、除濁膜モジュール２２の一次側を順洗浄する順洗浄モードの実施頻度を増加させる操作、除濁膜モジュール２２へ導入される河川水Ｗ１に添加する殺菌剤の添加量を調整する操作、除濁膜モジュール２２へ導入される河川水Ｗ１に添加する凝集剤の添加量を調整する操作、除濁膜モジュール２２へ導入される河川水Ｗ１にバイオフィルム分散を促進する細胞間情報伝達物質を添加する操作、及び、除濁膜モジュール２２へ導入される河川水Ｗ１にバイオフィルム形成を阻害する細胞間情報伝達物質を添加する操作がある。
【００６４】
逆洗浄モード及び／又は順洗浄モードの実施頻度を増加させる操作を実行する場合においては、各洗浄モードの実施頻度を増加させることにより、実施頻度を増加させる前よりも、中空糸膜の外側表面で成長したケーキ層（汚濁物質の堆積層）を効果的に洗い流すことができる。
【００６５】
遠隔制御部５１により設定変更される逆洗浄モード及び／又は順洗浄モードの実施頻度の増加の程度は、例えば、河川水Ｗ１の水質項目に係る検出値の上昇度合や河川水濾過装置２の一次側と二次側との差圧の増加の度合に応じて、適宜決定される。即ち、河川水Ｗ１の水質項目に係る検出値の上昇度合が大きい場合や河川水濾過装置２の一次側と二次側との差圧の増加の度合が大きい場合には、遠隔制御部５１は、各洗浄モードの実施頻度の増加の程度を大きくするように設定の変更を行う。なお、遠隔制御装置５のマイコンのメモリ等において、河川水Ｗ１の水質項目に係る検出値の上昇度合や河川水濾過装置２の一次側と二次側との差圧の増加の度合に対応した、各洗浄モードの実施頻度に関するデータテーブルを有していてもよい。
【００６６】
遠隔制御部５１は、逆洗浄モード又は順洗浄モードの実施頻度を増加させる操作において、各洗浄モードの実施頻度を増加させる操作を実行した後に、分析データ格納部５２に格納された河川水Ｗ１の水質項目に係る分析データが、複数の河川水濾過装置２ａ〜２ｃの差圧が増加する前の水準に復帰した場合に、複数の河川水濾過装置２それぞれに対し、各洗浄モードの実施頻度を、複数の河川水濾過装置２ａ〜２ｃの差圧が増加する前の頻度となるように遠隔制御により設定変更する。なお、複数の河川水濾過装置２の差圧が増加する前の水準には、差圧が増加する前の河川水Ｗ１の水質項目に係る分析データの検出値における近傍の値も含まれる。これにより、河川水Ｗ１の水質が良好な状態に復帰した場合に、逆洗浄モード又は順洗浄モードの実施頻度を前の頻度に変更して、膜洗浄に使用される水の無駄を抑制することができる。
【００６７】
除濁膜モジュール２２へ導入される河川水Ｗ１に添加する殺菌剤の添加量を調整する操作においては、遠隔制御部５１は、複数の河川水濾過装置２それぞれに対し、予め設定された殺菌剤の添加量を増加させるように設定を変更する。河川水Ｗ１に添加する殺菌剤の添加量を増加させることにより、除濁膜モジュール２２の膜への微生物の繁殖を抑制して、膜面へのバイオフィルムの形成を抑制することで、バイオファウリングを抑制することができる。バイオファウリングとは、微生物による膜のファウリング（閉塞）を意味する。よって、除濁膜モジュール２２の閉塞を抑制することができる。
【００６８】
除濁膜モジュール２２へ導入される河川水Ｗ１に添加する凝集剤の添加量を調整する操作を実行する場合においては、遠隔制御部５１は、分析データ格納部５２に格納された河川水のＴＯＣが増加し且つ複数の河川水濾過装置２の差圧が増加した場合に、複数の河川水濾過装置２それぞれに対し、予め設定された凝集剤の添加量を増加させるように設定を変更する。河川水Ｗ１に添加する凝集剤の添加量を増加させることにより、水中における懸濁物質を凝集（フロック化）させて除去し易くし、膜面への藻類の付着を抑制して、藻類ファウリングを抑制することができる。藻類ファウリングとは、藻類による膜のファウリング（閉塞）を意味する。よって、除濁膜モジュール２２の閉塞を抑制することができる。
【００６９】
除濁膜モジュール２２へ導入される河川水Ｗ１にバイオフィルム分散を促進する細胞間情報伝達物質を添加する操作を実行する場合においては、遠隔制御部５１は、バイオフィルム分散を促進する細胞間情報伝達物質を河川水Ｗ１へ添加を開始させ又は添加量を増加するように、複数の河川水濾過装置２それぞれに対し、設定を変更する。これにより、バイオフィルム分散を促進する細胞間情報伝達物質がバイオフィルムの内部に浸透して、バイオフィルムに、細菌を浮遊状態に誘導するシグナルを与えて、バイオフィルムを分散させることができる。よって、除濁膜モジュール２２の閉塞を抑制することができる。
【００７０】
除濁膜モジュール２２へ導入される河川水Ｗ１にバイオフィルム形成を阻害する細胞間情報伝達物質を添加する操作を実行する場合においては、遠隔制御部５１は、バイオフィルム形成を阻害する細胞間情報伝達物質（例えばＡＨＬ）を河川水Ｗ１へ添加を開始させ又は添加量を増加するように、複数の河川水濾過装置２それぞれに対し、設定を変更する。これにより、バイオフィルム形成を阻害する細胞間情報伝達物質（例えばＡＨＬ）がクオラムセンシングを抑制して、スライムの増殖を抑制することができる。よって、除濁膜モジュール２２の閉塞を抑制することができる。
【００７１】
遠隔制御部５１により設定変更される殺菌剤の添加量の増加の程度、凝集剤の添加量の程度、バイオフィルム分散を促進する細胞間情報伝達物質の添加量の程度、バイオフィルム形成を阻害する細胞間情報伝達物質の添加量の程度は、例えば、河川水Ｗ１の水質項目に係る検出値の上昇度合や河川水濾過装置２の一次側と二次側との差圧の増加の度合に応じて、適宜決定される。即ち、河川水Ｗ１の水質項目に係る検出値の上昇度合が大きい場合や河川水濾過装置２の一次側と二次側との差圧の増加の度合が大きい場合には、遠隔制御部５１は、殺菌剤又は凝集剤の増加の程度や細胞間情報伝達物質の添加量を多くするように設定の変更を行う。なお、遠隔制御装置５のマイコンのメモリ等において、河川水Ｗ１の水質項目に係る検出値の上昇度合や河川水濾過装置２の一次側と二次側との差圧の増加の度合に対応した、殺菌剤又は凝集剤の増加の程度や細胞間情報伝達物質の添加量に関するデータテーブルを有していてもよい。
【００７２】
以上のように構成される河川水濾過装置の遠隔管理制御システム１は、ユーザＸ〜Ｚごとに、次の第１遠隔制御例及び第２遠隔制御例の処理を、実行可能である。第１遠隔制御例及び第２遠隔制御例の処理について、フローチャートを参照しながら説明する。
【００７３】
第１遠隔制御例は、河川水濾過装置２ａ〜２ｃについて、逆洗浄モードの実施頻度を増加させる操作及び／又は順洗浄モードの実施頻度を増加させる操作を実行する場合の例である。図４〜図６において、第１遠隔制御例の第１動作例〜第３動作例について説明する。
第２遠隔制御例は、河川水濾過装置２ａ〜２ｃについて、殺菌剤若しくは凝集剤の添加量を調整する操作、又は、河川水Ｗ１にバイオフィルム分散を促進する細胞間情報伝達物質若しくはバイオフィルム形成を阻害する細胞間情報伝達物質を添加する操作を遠隔制御により実行する例である。図７〜図９において、第２遠隔制御例の第４動作例〜第６動作例について説明する。
なお、各フローチャートにおけるステップＳ番号の３桁の数字については、ステップＳ番号の百の位の数字を、動作例の番号の数字と対応した数字としている。例えば、ステップＳ番号において、第１動作例〜第６動作例では、百の位を「１」〜「６」としている。
【００７４】
まず、河川水濾過装置の遠隔管理制御システム１の第１遠隔制御例について説明する。第１遠隔制御例は、逆洗浄モードの実施頻度を増加させる操作又は順洗浄モードの実施頻度を増加させる操作を実行する制御例である。第１遠隔制御例の第１動作例について説明する。図４は、本実施形態の河川水濾過装置の遠隔管理制御システム１の第１動作例の処理手順を示すフローチャートである。図４に示すフローチャートの処理は、河川水濾過装置の遠隔管理制御システム１の運転中において、繰り返し実行される。また、複数の河川水濾過装置２ａ〜２ｃは、水処理プロセス並びに洗浄プロセス（逆洗浄モード及び／又は順洗浄モード）を実行している。
【００７５】
図４に示す河川水濾過装置２ａにおけるステップＳ１２１において、河川水濾過装置２ａに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値を水質検出装置９ａにより検出する。検出された水質項目に係る検出値のデータは、分析データとして、遠隔制御装置５へ送信される。
【００７６】
遠隔制御装置５におけるステップＳ１１１において、河川水濾過装置２ａのステップＳ１２１で検出された河川水Ｗ１の水質項目に係る検出値の分析データは、分析データ格納部５２に格納される。
【００７７】
河川水濾過装置２ｂにおけるステップＳ１３１において、河川水濾過装置２ｂに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値を水質検出装置９ｂにより検出する。検出された水質項目に係る検出値のデータは、分析データとして、遠隔制御装置５へ送信される。
【００７８】
遠隔制御装置５におけるステップＳ１１２において、河川水濾過装置２ｂのステップＳ１３１で検出された河川水Ｗ１の水質項目に係る検出値の分析データは、分析データ格納部５２に格納される。
【００７９】
河川水濾過装置２ｃにおけるステップＳ１４１において、河川水濾過装置２ｃに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値を水質検出装置９ｃにより検出する。検出された水質項目に係る検出値のデータは、分析データとして、遠隔制御装置５へ送信される。
【００８０】
遠隔制御装置５におけるステップＳ１１３において、河川水濾過装置２ｃのステップＳ１４１で検出された河川水Ｗ１の水質項目に係る検出値の分析データは、分析データ格納部５２に格納される。
【００８１】
遠隔制御装置５におけるステップＳ１１４において、遠隔制御装置５は、分析データ格納部５２に格納された水質項目に係る検出値が増加したか否かを判定する。ここで、遠隔制御装置５は、分析データ格納部５２に格納された水質項目に係る検出値の分析データにおいて、分析データ格納部５２に格納された順序ではなく、河川水濾過装置２ａ〜２ｃにおける河川水Ｗ１の検出日の時系列の分析データによる近時情報に基づいて、水質項目に係る検出値の平均値を算出する。例えば、近時情報として、直近の２個の分析データが使用される。具体的には、直近の２個の分析データとして、河川水濾過装置２ｃにおいてステップＳ１４１で検出されたサンプル水の分析データと、河川水濾過装置２ｂにおいてステップＳ１３１で検出されたサンプル水の分析データと、について、水質項目に係る検出値の平均値を算出する。遠隔制御装置５により水質項目に係る検出値が増加したと判定された場合（ＹＥＳ）には、処理は、ステップＳ１１５に移行する。一方、遠隔制御装置５により水質項目に係る検出値が増加していないと判定された場合（ＮＯ）には、処理は、ステップＳ１１６に移行する。
【００８２】
遠隔制御装置５におけるステップＳ１１５において、遠隔制御装置５は、複数の河川水濾過装置２ａ〜２ｃそれぞれで差圧が増加したか否かを判定する。遠隔制御装置５により複数の河川水濾過装置２ａ〜２ｃそれぞれで差圧が増加したと判定された場合（ＹＥＳ）には、処理は、ステップＳ１１７に移行する。一方、遠隔制御装置５により複数の河川水濾過装置２ａ〜２ｃそれぞれで差圧が増加していないと判定された場合（ＮＯ）には、処理は終了する（ステップＳ１１１へリターンする）。
【００８３】
ステップＳ１１４において水質項目に係る検出値が増加していないと判定された（ＮＯ）場合の遠隔制御装置５におけるステップＳ１１６において、遠隔制御装置５は、逆洗浄モード及び／又は順洗浄モードの実施頻度を増加させる操作を以前実行したか否か、且つ、分析データ格納部５２に格納された水質項目に係る検出値が水準（例えば、予め設定された基準レベル未満）に復帰したか否かを判定する。遠隔制御装置５により、逆洗浄モード及び／又は順洗浄モードの実施頻度を増加させる操作を以前実行し、且つ、水質項目に係る検出値が水準に復帰したと判定された場合（ＹＥＳ）には、処理は、ステップＳ１１７に移行する。一方、遠隔制御装置５により、逆洗浄モード及び／又は順洗浄モードの実施頻度を増加させる操作を以前実行せずに、又は、水質項目に係る検出値が水準に復帰していないと判定された場合（ＮＯ）には、処理は終了する（ステップＳ１１１へリターンする）。
【００８４】
遠隔制御装置５におけるステップＳ１１７において、ステップＳ１１５における複数の河川水濾過装置２ａ〜２ｃそれぞれで差圧が増加したと判定された（ＹＥＳ）後の処理では、遠隔制御装置５は、複数の河川水濾過装置２ａ〜２ｃそれぞれに対して、逆洗浄モードの実施頻度を増加させる操作、及び／又は、順洗浄モードの実施頻度を増加させる操作を実行する。これにより、各洗浄モードの実施頻度を増加させる前よりも、除濁膜モジュール２２の膜に付着した汚濁物質を効果的に洗い流すことができる。
【００８５】
また、遠隔制御装置５におけるステップＳ１１７において、ステップＳ１１６における水質項目に係る検出値が水準に復帰したと判定された（ＹＥＳ）後の処理では、遠隔制御装置５は、複数の河川水濾過装置２ａ〜２ｃそれぞれに対して、逆洗浄モードの実施頻度及び／又は順洗浄モードの実施頻度を河川水濾過装置２ａ〜２ｃの差圧が増加する前の頻度となるように遠隔制御により設定変更する。これにより、河川水Ｗ１の水質が元の水準に復帰した場合に、各洗浄モードの実施頻度を河川水濾過装置２ａ〜２ｃの差圧が増加する前の頻度に戻して、膜洗浄に使用される水の無駄を抑制することができる。ステップＳ１１７の処理の後に、遠隔制御装置５の処理は終了する（ステップＳ１１１へリターンする）。
【００８６】
河川水濾過装置２ａ，２ｂ，２ｃにおけるステップＳ１２２，Ｓ１３２，Ｓ１４２において、除濁膜モジュール２２ａ〜２２ｃの逆洗浄プロセスを実行する頻度又はフラッシング運転を実行する頻度は、遠隔制御装置５の遠隔制御により設定変更される。ステップＳ１２２，Ｓ１３２，Ｓ１４２の処理の後に、河川水濾過装置２ａ，２ｂ，２ｃの処理は終了する（ステップＳ１２１，Ｓ１３１，Ｓ１４１へリターンする）。
【００８７】
次に、河川水濾過装置の遠隔管理制御システム１の第１遠隔制御例の第２動作例について説明する。図５は、本実施形態の河川水濾過装置の遠隔管理制御システム１の第２動作例の処理手順を示すフローチャートである。図５に示す第２動作例は、分析データの取得方法について、図４に示す第１動作例において河川水Ｗ１の水質項目に係る検出値を水質検出装置９ｃにより検出して得るのに対して、採水された河川水Ｗ１のサンプル水から分析センター（不図示）において水質項目に係る検出値の分析データとして分析されて得る点において主に異なる。第２動作例は、その他の点において、第１動作例と同様である。
【００８８】
図５に示す河川水濾過装置２ａにおけるステップＳ２２１において、河川水濾過装置２ａに導入される河川水Ｗ１のサンプル水を採水する。採水された河川水Ｗ１のサンプル水は、分析センター（不図示）に送付され、河川水Ｗ１の採水時点における全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値の分析データとして分析される。
【００８９】
遠隔制御装置５におけるステップＳ２１１において、河川水濾過装置２ａのステップＳ２２１で採水された河川水Ｗ１の水質項目に係る検出値の分析データは、分析データ格納部５２に格納される。
【００９０】
河川水濾過装置２ｂにおけるステップＳ２３１において、河川水濾過装置２ｂに導入される河川水Ｗ１のサンプル水を採水する。採水された河川水Ｗ１のサンプル水は、分析センター（不図示）に送付され、河川水Ｗ１の採水時点における全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値の分析データとして分析される。
【００９１】
遠隔制御装置５におけるステップＳ２１２において、河川水濾過装置２ｂのステップＳ２３１で採水された河川水Ｗ１の水質項目に係る検出値の分析データは、分析データ格納部５２に格納される。
【００９２】
河川水濾過装置２ｃにおけるステップＳ２４１において、河川水濾過装置２ｃに導入される河川水Ｗ１のサンプル水を採水する。採水された河川水Ｗ１のサンプル水は、分析センター（不図示）に送付され、河川水Ｗ１の採水時点における全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値の分析データとして分析される。
【００９３】
遠隔制御装置５におけるステップＳ２１３において、河川水濾過装置２ｃのステップＳ２４１で採水された河川水Ｗ１の水質項目に係る検出値の分析データは、分析データ格納部５２に格納される。
【００９４】
遠隔制御装置５におけるステップＳ２１４において、遠隔制御装置５は、分析データ格納部５２に格納された水質項目に係る検出値が増加したか否かを判定する。ここで、遠隔制御装置５は、分析データ格納部５２に格納された水質項目に係る検出値の分析データにおいて、分析データ格納部５２に格納された順序ではなく、河川水濾過装置２ａ〜２ｃにおける河川水Ｗ１の検出日の時系列の分析データによる近時情報に基づいて、水質項目に係る検出値の平均値を算出する。例えば、近時情報として、直近の２個の分析データが使用される。具体的には、直近の２個の分析データとして、河川水濾過装置２ｃにおいてステップＳ２４１で検出されたサンプル水の分析データと、河川水濾過装置２ｂにおいてステップＳ２３１で検出されたサンプル水の分析データと、について、水質項目に係る検出値の平均値を算出する。遠隔制御装置５により水質項目に係る検出値が増加したと判定された場合（ＹＥＳ）には、処理は、ステップＳ２１５に移行する。一方、遠隔制御装置５により水質項目に係る検出値が増加していないと判定された場合（ＮＯ）には、処理は、ステップＳ２１６に移行する。
【００９５】
遠隔制御装置５におけるステップＳ２１５〜Ｓ２１７、河川水濾過装置２ａにおけるステップＳ２２２、河川水濾過装置２ｂにおけるステップＳ２３２、河川水濾過装置２ｃにおけるステップＳ２４２の動作は、第１動作例の遠隔制御装置５におけるステップＳ１１５〜Ｓ１１７、河川水濾過装置２ａにおけるステップＳ１２２、河川水濾過装置２ｂにおけるステップＳ１３２、河川水濾過装置２ｃにおけるステップＳ１４２の動作と同様であるため、その説明を省略する。
【００９６】
次に、河川水濾過装置の遠隔管理制御システム１の第１遠隔制御例の第３動作例について説明する。図６は、本実施形態の河川水濾過装置の遠隔管理制御システム１の第３動作例の処理手順を示すフローチャートである。図６に示すフローチャートの処理は、河川水濾過装置の遠隔管理制御システム１の運転中において、繰り返し実行される。また、複数の河川水濾過装置２ａ〜２ｃは、水処理プロセス並びに洗浄プロセスを実行している。
図６における第３動作例は、図４及び図５における第１動作例及び第２動作例と比べて、分析データの取得方法や取得時期や取得回数が異なる。
【００９７】
図６に示す河川水濾過装置２ａにおけるステップＳ３２１において、河川水濾過装置２ａに導入される河川水Ｗ１のサンプル水を採水する。採水された河川水Ｗ１のサンプル水は、分析センター（不図示）に送付され、河川水Ｗ１の採水時点における全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値の分析データとして分析される。
【００９８】
遠隔制御装置５におけるステップＳ３１２において、河川水濾過装置２ａのステップＳ３２１で採水された河川水Ｗ１の水質項目に係る検出値の分析データは、例えばサンプル水の採水日から数日遅れて、分析データ格納部５２に格納される。
【００９９】
河川水濾過装置２ａにおけるステップＳ３２２において、河川水濾過装置２ａに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値を水質検出装置９ｃにより検出する。検出された水質項目に係る検出値のデータは、分析データとして、遠隔制御装置５へ送信される。
【０１００】
遠隔制御装置５におけるステップＳ３１１において、例えばステップＳ３１２よりも早い時期に、河川水濾過装置２ａのステップＳ３２２で検出された河川水Ｗ１の水質項目に係る検出値の分析データは、分析データ格納部５２に格納される。
【０１０１】
河川水濾過装置２ｂにおけるステップＳ３３１において、河川水濾過装置２ｂに導入される河川水Ｗ１のサンプル水を採水する。採水された河川水Ｗ１のサンプル水は、分析センター（不図示）に送付され、河川水Ｗ１の採水時点における全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値の分析データとして分析される。
【０１０２】
遠隔制御装置５におけるステップＳ３１４において、河川水濾過装置２ｂのステップＳ３３１で採水された河川水Ｗ１の水質項目に係る検出値の分析データは、例えばサンプル水の採水日から数日遅れて、分析データ格納部５２に格納される。
【０１０３】
河川水濾過装置２ｂにおけるステップＳ３３２において、河川水濾過装置２ｂに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る検出値を水質検出装置９ｃにより検出する。検出された水質項目に係る検出値のデータは、分析データとして、遠隔制御装置５へ送信される。
【０１０４】
遠隔制御装置５におけるステップＳ３１３において、例えばステップＳ３１４よりも早い時期に、河川水濾過装置２ｂのステップＳ３３２で検出された河川水Ｗ１の水質項目に係る検出値の分析データは、分析データ格納部５２に格納される。
【０１０５】
遠隔制御装置５におけるステップＳ３１５〜Ｓ３１８、河川水濾過装置２ａにおけるステップＳ３２３、河川水濾過装置２ｂにおけるステップＳ３３３、河川水濾過装置２ｃにおけるステップＳ３４１の動作は、第１動作例の遠隔制御装置５におけるステップＳ１１４〜Ｓ１１７、河川水濾過装置２ａにおけるステップＳ１２２、河川水濾過装置２ｂにおけるステップＳ１３２、河川水濾過装置２ｃにおけるステップＳ１４２の動作と同様であるため、その説明を省略する。
【０１０６】
ここで、河川水濾過装置２ｃにおいては、ステップＳ３４１よりも前の時点で、河川水Ｗ１の水質項目に係る検出値の分析データが個別には取得されていない。しかし、河川水濾過装置２ｃは、予め設定された洗浄タイミングが水質変動に対応した最適な洗浄タイミングとなるように、遠隔制御装置５の遠隔制御により設定変更される。ここでは、複数の河川水濾過装置２ａ〜２ｃのいずれにおいても、同一河川水源から河川水Ｗ１が導入されている。そのため、個別の分析データが取得されていない河川水濾過装置２ｃにおいても、遠隔制御により洗浄タイミングの設定を変更する。これにより、複数の河川水濾過装置２ａ〜２ｃを、一群の河川水濾過装置として、総合的に管理することができる。
【０１０７】
次に、河川水濾過装置の遠隔管理制御システム１の第２遠隔制御例について説明する。第２遠隔制御例は、殺菌剤若しくは凝集剤の添加量を調整する操作、又は、河川水Ｗ１にバイオフィルム分散を促進する細胞間情報伝達物質若しくはバイオフィルム形成を阻害する細胞間情報伝達物質を添加する操作を遠隔制御により実行する制御例である。第２遠隔制御例の第４動作例〜第６動作例について説明する。
【０１０８】
第２遠隔制御例の第４動作例〜第６動作例（図７〜図９）は、前述の第１遠隔制御例における第１動作例〜第３動作例（図４〜６）が逆洗浄モードの実施頻度を増加させる操作、及び／又は順洗浄モードの実施頻度を増加させる操作を遠隔制御により設定変更するのに対して、殺菌剤若しくは凝集剤の添加量を調整する操作、又は、河川水Ｗ１にバイオフィルム分散を促進する細胞間情報伝達物質若しくはバイオフィルム形成を阻害する細胞間情報伝達物質を添加する操作を遠隔制御により設定変更する点について主に異なる。分析データ格納部５２に格納するタイミングや、サンプル水を取得するタイミングについては、第２遠隔制御例の第４動作例〜第６動作例（図７〜図９）は、それぞれ、第１遠隔制御例の第１動作例〜第３動作例（図４〜図６）に対応しており、第１遠隔制御例の第１動作例〜第３動作例（図４〜図６）のタイミングと同様である。
【０１０９】
なお、第２遠隔制御例の第４動作例〜第６動作例については、図４〜図６の第１遠隔制御例の第１動作例〜第３動作例におけるステップＳ１１６、Ｓ２１６及びＳ３１７の「検出値が水準に復帰」する処理が実行されない。
【０１１０】
河川水濾過装置の遠隔管理制御システム１の第２遠隔制御例の第４動作例について説明する。図７は、本実施形態の河川水濾過装置の遠隔管理制御システム１の第４動作例の処理手順を示すフローチャートである。図７に示すフローチャートの処理は、河川水濾過装置の遠隔管理制御システム１の運転中において、繰り返し実行される。
【０１１１】
図７に示す河川水濾過装置２ａにおけるステップＳ４２１、河川水濾過装置２ｂにおけるステップＳ４３１、河川水濾過装置２ｃにおけるステップＳ４４１、遠隔制御装置５におけるステップＳ４１１〜Ｓ４１３の処理は、図４に示す河川水濾過装置２ａにおけるステップＳ１２１、河川水濾過装置２ｂにおけるステップＳ１３１、河川水濾過装置２ｃにおけるステップＳ１４１、遠隔制御装置５におけるステップＳ１１１〜Ｓ１１３にそれぞれ対応し、それぞれの処理と同様である。そのため、河川水濾過装置２ａにおけるステップＳ４２１、河川水濾過装置２ｂにおけるステップＳ４３１、河川水濾過装置２ｃにおけるステップＳ４４１、遠隔制御装置５におけるステップＳ４１１〜Ｓ４１３の説明を省略する。
【０１１２】
遠隔制御装置５におけるステップＳ４１４において、遠隔制御装置５は、分析データ格納部５２に格納された水質項目に係る検出値が増加したか否かを判定する。ここで、遠隔制御装置５は、分析データ格納部５２に格納された水質項目に係る検出値の分析データにおいて、分析データ格納部５２に格納された順序ではなく、河川水濾過装置２ａ〜２ｃにおける河川水Ｗ１の検出日の時系列の分析データによる近時情報に基づいて、水質項目に係る検出値の平均値を算出する。例えば、近時情報として、直近の２個の分析データが使用される。具体的には、直近の２個の分析データとして、河川水濾過装置２ｃにおいてステップＳ４４１で検出されたサンプル水の分析データと、河川水濾過装置２ｂにおいてステップＳ４３１で検出されたサンプル水の分析データと、について、水質項目に係る検出値の平均値を算出する。遠隔制御装置５により水質項目に係る検出値が増加したと判定された場合（ＹＥＳ）には、処理は、ステップＳ４１５に移行する。一方、遠隔制御装置５により水質項目に係る検出値が増加していないと判定された場合（ＮＯ）には、処理は終了する（ステップＳ４１１へリターンする）。
【０１１３】
遠隔制御装置５におけるステップＳ４１５において、遠隔制御装置５は、複数の河川水濾過装置２ａ〜２ｃそれぞれで差圧が増加したか否かを判定する。遠隔制御装置５により複数の河川水濾過装置２ａ〜２ｃそれぞれで差圧が増加したと判定された場合（ＹＥＳ）には、処理は、ステップＳ４１６に移行する。一方、遠隔制御装置５により複数の河川水濾過装置２ａ〜２ｃそれぞれで差圧が増加していないと判定された場合（ＮＯ）には、処理は終了する（ステップＳ４１１へリターンする）。
【０１１４】
遠隔制御装置５におけるステップＳ４１６において、遠隔制御装置５は、複数の河川水濾過装置２ａ〜２ｃそれぞれに対して、除濁膜モジュール２２へ導入される河川水Ｗ１に添加する殺菌剤の添加量を増加するように設定を変更する操作、除濁膜モジュール２２へ導入される河川水Ｗ１に添加する凝集剤の添加量を増加するように設定を変更する操作、除濁膜モジュール２２へ導入される河川水Ｗ１にバイオフィルム分散を促進する細胞間情報伝達物質を添加するように設定を変更する操作、及び、除濁膜モジュール２２へ導入される河川水Ｗ１にバイオフィルム形成を阻害する細胞間情報伝達物質を添加するように設定を変更する操作のいずれか１つを遠隔制御により実行する。
【０１１５】
除濁膜モジュール２２へ導入される河川水Ｗ１に添加する殺菌剤の添加量を増加するように設定を変更する操作を実行した場合には、除濁膜モジュール２２の膜への微生物の繁殖を抑制して、膜面へのバイオフィルムの形成を抑制することで、バイオファウリングを抑制することができる。その結果、除濁膜モジュール２２の閉塞を抑制することができる。
また、除濁膜モジュール２２へ導入される河川水Ｗ１に添加する凝集剤の添加量を増加するように設定を変更する操作を実行した場合には、河川水Ｗ１に添加する凝集剤の添加量を増加させることにより、水中における懸濁物質を凝集（フロック化）させて除去し易くすることができる。特に、分析データ格納部５２に格納された河川水のＴＯＣが増加し且つ複数の河川水濾過装置２の差圧が増加した場合には、河川水Ｗ１に添加する凝集剤の添加量を増加させることにより、膜面への藻類の付着を抑制して、藻類ファウリングを抑制することができる。その結果、除濁膜モジュール２２の閉塞を抑制することができる。
【０１１６】
また、除濁膜モジュール２２へ導入される河川水Ｗ１にバイオフィルム分散を促進する細胞間情報伝達物質を添加するように設定を変更する操作を実行する場合には、バイオフィルム分散を促進する細胞間情報伝達物質がバイオフィルムの内部に浸透して、バイオフィルムに、細菌を浮遊状態に誘導するシグナルを与えて、バイオフィルムを分散させることができる。その結果、除濁膜モジュール２２の閉塞を抑制することができる。
また、除濁膜モジュール２２へ導入される河川水Ｗ１にバイオフィルム形成を阻害する細胞間情報伝達物質を添加するように設定を変更する操作を実行する場合には、バイオフィルム形成を阻害する細胞間情報伝達物質（例えばＡＨＬ）がクオラムセンシングを抑制して、スライムの増殖を抑制することができる。その結果、除濁膜モジュール２２の閉塞を抑制することができる。
ステップＳ４１６の処理の後に、遠隔制御装置５の処理は終了する（ステップＳ４１１へリターンする）。
【０１１７】
河川水濾過装置２ａ，２ｂ，２ｃにおけるステップＳ４２２，Ｓ４３２，Ｓ４４２において、河川水濾過装置２ａ，２ｂ，２ｃへ導入される河川水Ｗ１に添加する殺菌剤の添加量が増加されるように遠隔制御装置５の遠隔制御により設定変更され、河川水濾過装置２ａ，２ｂ，２ｃへ導入される河川水Ｗ１に添加する凝集剤の添加量が増加されるように遠隔制御装置５の遠隔制御により設定変更され、河川水濾過装置２ａ，２ｂ，２ｃへ導入される河川水Ｗ１にバイオフィルム分散を促進する細胞間情報伝達物質の添加が開始され又は添加量が増加されるように遠隔制御装置５の遠隔制御により設定変更され、又は、河川水濾過装置２ａ，２ｂ，２ｃへ導入される河川水Ｗ１にバイオフィルム形成を阻害する細胞間情報伝達物質の添加が開始され又は添加量が増加されるように遠隔制御装置５の遠隔制御により設定変更される。ステップＳ４２２，Ｓ４３２，Ｓ４４２の処理の後に、河川水濾過装置２ａ，２ｂ，２ｃの処理は終了する（ステップＳ４２１，Ｓ４３１，Ｓ４４１へリターンする）。
【０１１８】
河川水濾過装置の遠隔管理制御システム１の第２遠隔制御例の第５動作例について説明する。図８は、本実施形態の河川水濾過装置の遠隔管理制御システム１の第５動作例の処理手順を示すフローチャートである。図８に示すフローチャートの処理は、河川水濾過装置の遠隔管理制御システム１の運転中において、繰り返し実行される。
【０１１９】
図８に示す河川水濾過装置２ａにおけるステップＳ５２１、河川水濾過装置２ｂにおけるステップＳ５３１、河川水濾過装置２ｃにおけるステップＳ５４１、遠隔制御装置５におけるステップＳ５１１〜Ｓ５１３の処理は、図４に示す河川水濾過装置２ａにおけるステップＳ１２１、河川水濾過装置２ｂにおけるステップＳ１３１、河川水濾過装置２ｃにおけるステップＳ１４１、遠隔制御装置５におけるステップＳ１１１〜Ｓ１１３にそれぞれ対応し、それぞれの処理と同様である。そのため、河川水濾過装置２ａにおけるステップＳ５２１、河川水濾過装置２ｂにおけるステップＳ５３１、河川水濾過装置２ｃにおけるステップＳ５４１、遠隔制御装置５におけるステップＳ５１１〜Ｓ５１３の説明を省略する。
【０１２０】
遠隔制御装置５におけるステップＳ５１４〜Ｓ５１６、河川水濾過装置２ａにおけるＳ５２２、河川水濾過装置２ｂにおけるＳ５３２、河川水濾過装置２ｃにおけるＳ５４２の処理は、図７に示す遠隔制御装置５におけるステップＳ４１４〜Ｓ４１６、河川水濾過装置２ａにおけるＳ４２２、河川水濾過装置２ｂにおけるＳ４３２、河川水濾過装置２ｃにおけるＳ４４２の処理と同様であるため、遠隔制御装置５におけるステップＳ５１４〜Ｓ５１６、遠隔制御装置５におけるステップＳ５１４〜Ｓ５１６、河川水濾過装置２ａにおけるＳ５２２、河川水濾過装置２ｂにおけるＳ５３２、河川水濾過装置２ｃにおけるＳ５４２の説明を省略する。
【０１２１】
河川水濾過装置の遠隔管理制御システム１の第２遠隔制御例の第６動作例について説明する。図９は、本実施形態の河川水濾過装置の遠隔管理制御システム１の第６動作例の処理手順を示すフローチャートである。図９に示すフローチャートの処理は、河川水濾過装置の遠隔管理制御システム１の運転中において、繰り返し実行される。
【０１２２】
図９に示す河川水濾過装置２ａにおけるステップＳ６２１及びＳ６２２、河川水濾過装置２ｂにおけるステップＳ６３１及びＳ６３２、遠隔制御装置５におけるステップＳ６１１〜Ｓ６１４の処理は、図６に示す河川水濾過装置２ａにおけるステップＳ３２１及びＳ３２２、河川水濾過装置２ｂにおけるステップＳ３３１及びＳ３３２、遠隔制御装置５におけるステップＳ３１１〜Ｓ３１４にそれぞれ対応し、それぞれの処理と同様である。そのため、河川水濾過装置２ａにおけるステップＳ６２１及びＳ６２２、河川水濾過装置２ｂにおけるステップＳ６３１及びＳ６３２、遠隔制御装置５におけるステップＳ６１１〜Ｓ６１４の説明を省略する。
【０１２３】
遠隔制御装置５におけるステップＳ６１５〜Ｓ６１７、河川水濾過装置２ａにおけるＳ６２３、河川水濾過装置２ｂにおけるＳ６３３、河川水濾過装置２ｃにおけるＳ６４１の処理は、図７に示す遠隔制御装置５におけるステップＳ４１４〜Ｓ４１６、河川水濾過装置２ａにおけるＳ４２２、河川水濾過装置２ｂにおけるＳ４３２、河川水濾過装置２ｃにおけるＳ４４２の処理と同様であるため、遠隔制御装置５におけるステップＳ６１５〜Ｓ６１７、河川水濾過装置２ａにおけるＳ６２３、河川水濾過装置２ｂにおけるＳ６３３、河川水濾過装置２ｃにおけるＳ６４１の説明を省略する。
【０１２４】
本実施形態の河川水濾過装置の遠隔管理制御システム１によれば、例えば、以下に示す効果が奏される。
本実施形態の河川水濾過装置の遠隔管理制御システム１は、同一河川水源４から河川水Ｗ１を除濁膜モジュール２２ａ〜２２ｃに導入することで河川水Ｗ１に含まれる汚濁物質を除去して処理水Ｗ２を製造する複数の河川水濾過装置２ａ〜２ｃと、遠隔地から通信により複数の河川水濾過装置２ａ〜２ｃを遠隔制御する遠隔制御部５１と、取得された複数の河川水濾過装置２ａ〜２ｃに導入される河川水Ｗ１の全有機物炭素（ＴＯＣ）、クロロフィル、水温、全リン、全窒素、生物化学的酸素要求量（ＢＯＤ）、及びアデノシン三リン酸（ＡＴＰ）のいずれか１つ以上の水質項目に係る分析データを格納する分析データ格納部５２と、を備え、遠隔制御部５１は、複数の河川水濾過装置２ａ〜２ｃの一次側と二次側との差圧が増加した場合に、分析データ格納部５２に格納された河川水Ｗ１の水質項目に係る分析データの近時情報に基づいて、複数の河川水濾過装置２ａ〜２ｃそれぞれに対し、除濁膜モジュール２２ａ〜２２ｃの一次側を逆洗浄する逆洗浄モードの実施頻度を増加させる操作、除濁膜モジュール２２ａ〜２２ｃの一次側を順洗浄する順洗浄モードの実施頻度を増加させる操作、除濁膜モジュール２２ａ〜２２ｃへ導入される河川水Ｗ１に添加する殺菌剤の添加量を調整する操作、除濁膜モジュール２２ａ〜２２ｃへ導入される河川水Ｗ１に添加する凝集剤の添加量を調整する操作、除濁膜モジュール２２ａ〜２２ｃへ導入される河川水Ｗ１にバイオフィルム分散を促進する細胞間情報伝達物質を添加する操作、及び、除濁膜モジュール２２ａ〜２２ｃへ導入される河川水Ｗ１にバイオフィルム形成を阻害する細胞間情報伝達物質を添加する操作のいずれか１つを遠隔制御により実行する。
【０１２５】
そのため、同一河川水源４の河川水水質が変動した場合に、複数の河川水濾過装置２ａ〜２ｃにおいて、除濁膜モジュール２２ａ〜２２ｃの閉塞を抑制する操作を遠隔制御により実行して、複数の河川水濾過装置２ａ〜２ｃを、一群の河川水濾過装置として、総合的に管理することができる。
【０１２６】
除濁膜モジュール２２ａ〜２２ｃの閉塞を抑制する操作として、逆洗浄モードの実施頻度を増加させる操作、及び／又は順洗浄モードの実施頻度を増加させる操作を実行した場合には、中空糸膜の外側表面で成長したケーキ層（汚濁物質の堆積層）を効果的に洗い流すことができる。その結果、除濁膜モジュール２２の透過流束の低下を抑制して、所定範囲に維持することができる。
また、除濁膜モジュール２２ａ〜２２ｃの閉塞を抑制する操作として、除濁膜モジュール２２へ導入される河川水Ｗ１に添加する凝集剤の添加量を増加する設定に変更する操作を実行した場合には、河川水Ｗ１に添加する凝集剤の添加量を増加させることにより、水中における懸濁物質を凝集（フロック化）させて除去し易くすることができる。その結果、除濁膜モジュール２２の透過流束の低下を抑制して、所定範囲に維持することができる。
【０１２７】
また、除濁膜モジュール２２ａ〜２２ｃの閉塞を抑制する操作として、除濁膜モジュール２２へ導入される河川水Ｗ１にバイオフィルム分散を促進する細胞間情報伝達物質を添加する操作を実行する場合には、バイオフィルム分散を促進する細胞間情報伝達物質がバイオフィルムの内部に浸透して、バイオフィルムに、細菌を浮遊状態に誘導するシグナルを与えて、バイオフィルムを分散させることができる。その結果、除濁膜モジュール２２の透過流束の低下を抑制して、所定範囲に維持することができる。
また、除濁膜モジュール２２ａ〜２２ｃの閉塞を抑制する操作として、除濁膜モジュール２２へ導入される河川水Ｗ１にバイオフィルム形成を阻害する細胞間情報伝達物質を添加する設定に変更する操作を実行する場合には、バイオフィルム形成を阻害する細胞間情報伝達物質（例えばＡＨＬ）がクオラムセンシングを抑制して、スライムの増殖を抑制することができる。その結果、除濁膜モジュール２２の透過流束の低下を抑制して、所定範囲に維持することができる。
【０１２８】
また、本実施形態の河川水濾過装置の遠隔管理制御システム１においては、遠隔制御部５１は、逆洗浄モードの実施頻度を増加させる操作及び／又は順洗浄モードの実施頻度を増加させる操作を実行する場合において、逆洗浄モードの実施頻度を増加させる操作及び／又は順洗浄モードの実施頻度を増加させる操作を実行した後に、分析データ格納部５２に格納された河川水Ｗ１の水質項目に係る分析データが、複数の河川水濾過装置２ａ〜２ｃの差圧が増加する前の水準に復帰した場合に、複数の河川水濾過装置２ａ〜２ｃそれぞれに対し、逆洗浄モードの実施頻度及び／又は順洗浄モードの実施頻度を、複数の河川水濾過装置２ａ〜２ｃの差圧が増加する前の頻度となるように遠隔制御により設定変更する。
【０１２９】
そのため、河川水濾過装置２において各洗浄モードの実施頻度を増加させる操作を実行する場合において、分析データ格納部５２に格納された河川水Ｗ１の水質項目に係る分析データが、複数の河川水濾過装置２ａ〜２ｃの差圧が増加する前の水準に復帰した場合に、最適な頻度になるように設定が変更される。この結果、逆洗浄モードの実施頻度及び／又は順洗浄モードの実施頻度が最適になることなり、洗浄水の無駄な消費が抑制されると共に、処理水Ｗ２の品質が維持される。
【０１３０】
また、本実施形態の河川水濾過装置の遠隔管理制御システム１においては、遠隔制御部５１は、除濁膜モジュール２２ａ〜２２ｃへ導入される河川水Ｗ１に添加する凝集剤の添加量を調整する操作を実行する場合において、分析データ格納部５２に格納された河川水Ｗ１のＴＯＣが増加し且つ複数の河川水濾過装置２ａ〜２ｃの差圧が増加した場合に、複数の河川水濾過装置２ａ〜２ｃそれぞれに対し、予め設定された凝集剤の添加量を増加させるように遠隔制御により設定変更する。
【０１３１】
そのため、河川水濾過装置２において除濁膜モジュール２２ａ〜２２ｃへ導入される河川水Ｗ１に添加する凝集剤の添加量を調整する操作を実行する場合において、複数の河川水濾過装置２ａ〜２ｃは、河川水Ｗ１のＴＯＣが増加し且つ河川水濾過装置２ａ〜２ｃの差圧が増加した場合に、除濁膜モジュール２２ａ〜２２ｃに藻類が付着・堆積することにより閉塞が進行していると予測して、除濁膜モジュール２２ａ〜２２ｃへ導入される河川水Ｗ１に添加する凝集剤の添加量を増加させることにより、藻類ファウリングを適切に抑制することができる。
【０１３２】
以上、本発明の好適な実施形態について説明したが、本発明は、前述した実施形態に限定されることなく、種々の形態で実施することができる。
例えば、前述の実施形態においては、複数の河川水濾過装置として、３台の河川水濾過装置について説明したが、これに制限されない。本発明は、同一河川水源からの河川水が導入される河川水濾過装置群の遠隔制御を対象にしているので、数十台から数百台規模の河川水濾過装置群に対しても適用することが可能となっている。
【０１３３】
また、前述の実施形態においては、複数の河川水濾過装置２ａ〜２ｃの全ての装置において実行される操作の設定を遠隔制御により設定変更したが、これに制限されない。複数の河川水濾過装置２ａ〜２ｃの一部の装置において実行される操作の設定を遠隔制御により設定変更してもよい。
【０１３４】
また、前述の実施形態においては、近時情報として、直近の２個の分析データを使用する例について説明したが、これに制限されず、例えば、直近の３個以上の分析データを使用してもよい。
【０１３５】
また、前述の実施形態において、第１動作例においては、河川水の水質項目に係る検出値の検出の回数が装置毎に各１回であって、分析データを取得して分析データ格納部５２に格納する回数は、計３回であった。第２動作例においては、サンプル水の採水の回数が装置毎に各１回であって、分析データを取得して分析データ格納部５２に格納する回数は、計３回であった。第３動作例においては、河川水濾過装置２ａにおいてサンプル水の採水の回数及び河川水の水質項目に係る検出値の検出の回数が各１回であり、河川水濾過装置２ｂにおいてサンプル水の採水の回数及び河川水の水質項目に係る検出値の検出の回数が各１回であって、分析データを取得して分析データ格納部５２に格納する回数は、計４回であった。しかし、分析データを分析データ格納部５２に格納する回数は、これに制限されない。本発明は、複数の河川水濾過装置における分析データが得られたときには、分析データの取得の回数に制限はなく、複数の河川水濾過装置における分析データを、逐次、分析データ格納部５２に格納する。
【符号の説明】
【０１３６】
１  河川水濾過装置の遠隔管理制御システム
２、２ａ〜２ｃ  河川水濾過装置
２２、２２ａ〜２２ａ  除濁膜モジュール
４  河川水源
５１  遠隔制御部
５２  分析データ格納部
Ｗ１  河川水
Ｗ２、Ｗ２ａ〜Ｗ２ｃ  処理水
【図１】
2015233236.tif 000003
【図２】
2015233236.tif 000004
【図３】
2015233236.tif 000005
【図４】
2015233236.tif 000006
【図５】
2015233236.tif 000007
【図６】
2015233236.tif 000008
【図７】
2015233236.tif 000009
【図８】
2015233236.tif 000010
【図９】
2015233236.tif 000011